(57)【特許請求の範囲】
【請求項１】
遊技球を検出可能な作動手段（１７ａ）〜（１７ｃ）と、該作動手段（１７ａ）〜（１７ｃ）が遊技球を検出することを条件に遊技球が入賞可能な状態に開放若しくは拡大する可変手段（２０）と、該可変手段（２０）を介して入賞した遊技球を外周面若しくはその近傍に設けた遊技球保持手段（６９）（６９′）で保持しつつ所定方向へ誘導する回転ドラム（２１）と、該回転ドラム（２１）により誘導された遊技球が特定領域（２２ａ）を通過することを条件に遊技者に有利な特別遊技状態を発生させる特別遊技状態発生手段（９５）とを備えた弾球遊技機において、前記回転ドラム（２１）の内周側に該回転ドラム（２１）の軸方向に移動可能な状態で配置され且つ前記回転ドラム（２１）と共に回転する遊技球保持ドラム（５７）と、前記遊技球保持ドラム（５７）を前記回転ドラム（２１）の軸方向に移動させる保持ドラム駆動手段（５８）とを備え、前記遊技球保持手段（６９）を前記遊技球保持ドラム（５７）に固定したことを特徴とする弾球遊技機。
【発明の詳細な説明】
【技術分野】
【０００１】
本発明は、パチンコ機、アレンジボール機等の弾球遊技機に関するものである。
【背景技術】
【０００２】
弾球遊技機、例えばパチンコ機では、所定の作動手段と、内部に特定領域を含む複数の通路を有し且つ作動手段が遊技球を検出することを条件に遊技球が入賞可能な状態に開放又は拡大する可変入賞手段とを備え、この可変入賞手段に入賞した遊技球が特定領域を通過することを条件に、例えば可変入賞手段の開放動作を所定回数を限度として継続する特別遊技状態を発生させるようにしたものが知られている。
【０００３】
この種の弾球遊技機の１つとして、外周面の複数箇所に永久磁石を配した回転ドラムを可変入賞手段内に横向きに設置して所定方向に回転駆動し、可変入賞手段に入賞した遊技球をその回転ドラムの外周面に吸着させて、特定領域が設けられた回転ドラム後方へ向けて誘導するようにしたものがある。
【０００４】
この弾球遊技機は、可変入賞手段に入賞した遊技球を、特定領域を含む複数の通路に単に振り分けるのではなく、回転ドラムの外周面に遊技球を吸着させて特定領域側に誘導するという特殊な動作を盛り込むことにより、遊技に対する興趣の増大を狙ったものである。
【発明の開示】
【発明が解決しようとする課題】
【０００５】
上記従来の弾球遊技機では、回転ドラムの外周面に永久磁石が固定的に配置され、その位置が常に一定であるため、可変入賞手段内での遊技球の誘導動作は常に同じで変化に乏しく、興趣を長く維持できない問題があった。
【０００６】
本発明は、このような従来の問題点に鑑み、可変入賞手段内に配した回転ドラムによる遊技球の誘導動作に変化を持たせて遊技に対する興趣を長く維持できる弾球遊技機を提供することを目的とする。
【課題を解決するための手段】
【０００７】
本発明は、遊技球を検出可能な作動手段１７ａ〜１７ｃと、該作動手段１７ａ〜１７ｃが遊技球を検出することを条件に遊技球が入賞可能な状態に開放若しくは拡大する可変手段２０と、該可変手段２０を介して入賞した遊技球を外周面若しくはその近傍に設けた遊技球保持手段６９，６９′で保持しつつ所定方向へ誘導する回転ドラム２１と、該回転ドラム２１により誘導された遊技球が特定領域２２ａを通過することを条件に遊技者に有利な特別遊技状態を発生させる特別遊技状態発生手段９５とを備えた弾球遊技機において、前記回転ドラム２１の内周側に該回転ドラム２１の軸方向に移動可能な状態で配置され且つ前記回転ドラム２１と共に回転する遊技球保持ドラム５７と、前記遊技球保持ドラム５７を前記回転ドラム２１の軸方向に移動させる保持ドラム駆動手段５８とを備え、前記遊技球保持手段６９を前記遊技球保持ドラム５７に固定したものである。
【発明の効果】
【０００８】
本発明では、遊技球を検出可能な作動手段１７ａ〜１７ｃと、該作動手段１７ａ〜１７ｃが遊技球を検出することを条件に遊技球が入賞可能な状態に開放若しくは拡大する可変手段２０と、該可変手段２０を介して入賞した遊技球を外周面若しくはその近傍に設けた遊技球保持手段６９，６９′で保持しつつ所定方向へ誘導する回転ドラム２１と、該回転ドラム２１により誘導された遊技球が特定領域２２ａを通過することを条件に遊技者に有利な特別遊技状態を発生させる特別遊技状態発生手段９５とを備えた弾球遊技機において、回転ドラム２１の内周側に回転ドラム２１の軸方向に移動可能な状態で配置され且つ回転ドラム２１と共に回転する遊技球保持ドラム５７と、遊技球保持ドラム５７を回転ドラム２１の軸方向に移動させる保持ドラム駆動手段５８とを備え、遊技球保持手段６９を遊技球保持ドラム５７に固定しているため、回転ドラム２１による遊技球の誘導動作が変化に富み、興趣が増大して遊技者が飽きることなく長く遊技を楽しむことができる。
【発明を実施するための最良の形態】
【０００９】
以下、本発明の各実施形態を図面に基づいて詳述する。図１〜図８は本発明をパチンコ機に採用した第１の実施形態を例示している。図１において、１は遊技機本体で、外枠２と、この外枠２に開閉自在に枢着された前枠３を有する。前枠３には、遊技盤４が裏側から着脱自在に装着され、この遊技盤４の前側にガラス扉５と前面板６とが開閉自在に配置されている。前面板６には、発射用の遊技球を貯留する上皿７が装着されている。前枠３の下部には、余剰球を貯留する下皿８と、発射手段９の発射ハンドル１０とが夫々設けられている。
【００１０】
発射手段９は、発射レール１１と、上皿７から発射レール１１上に１個ずつ供給される遊技球を打撃する打撃槌１２と、遊技者が発射ハンドル１０を操作したときに打撃槌１２を駆動する発射モータ１３とを備え、遊技者による発射ハンドル１０の操作に基づいて遊技球を遊技盤４側へと発射させるようになっている。
【００１１】
遊技盤４の前面には、図２に示すように、ガイドレール１４が環状に装着されると共に、このガイドレール１４の内側の遊技領域１５の略中央に可変入賞手段１６が設けられている。また可変入賞手段１６の下方には１又は複数個、例えば３個の始動入賞手段（作動手段）１７ａ〜１７ｃが、可変入賞手段１６の左右両側には普通入賞手段１８及び開閉入賞手段１９が夫々設けられている。
【００１２】
可変入賞手段１６は、始動入賞手段１７ａ〜１７ｃに遊技球が入賞することを条件に遊技球が入賞可能な状態に１又は複数回開放する開閉爪（可変手段）２０と、横軸廻りに回転駆動され且つ開閉爪２０を介して入賞した遊技球を外周面近傍に設けた永久磁石（遊技球保持手段）６９で吸着保持しつつ所定方向へ誘導する回転ドラム２１と、この回転ドラム２１の後方に設けられ且つ左右方向に往復移動する特定入賞手段２２とを備え、回転ドラム２１によってその後方に誘導された遊技球が特定入賞手段２２の特定領域２２ａを通過することを条件に遊技者に有利な特別遊技状態が発生するようになっている。
【００１３】
特別遊技状態が発生すると、開閉爪２０が所定回数（例えば１８回）、所定入賞個数（例えば１０個）を限度として開閉され、この特別遊技状態の発生中に遊技球が特定領域２２ａを通過することを条件に、所定回数（例えば１６回）を限度としてこの特別遊技状態が繰り返されるようになっている。
【００１４】
可変入賞手段１６は、図３〜図６に示すように、開閉爪２０が設けられ且つ遊技盤４の嵌合孔４ａに前側から嵌合する前ケース体２３と、回転ドラム２１及び特定入賞手段２２が設けられ且つ前ケース体２３の後側に着脱自在に装着される後ケース体２４と、前ケース体２３の前面側に着脱自在に装着される前カバー２５と、前ケース体２３及び後ケース体２４の後側に着脱自在に装着される後カバー２６とを備えている。
【００１５】
前ケース体２３は、嵌合孔４ａの周辺部分において遊技盤４の前面側に当接する平板状の前板部３１と、回転ドラム２１に対応して前板部３１の下部後側に突設された矩形状の枠体３２と、枠体３２の上部側略半分に対応して前板部３１に形成された横長矩形状の開口窓３３と、枠体３２の下枠部３２ｂと前板部３１との間に一体に形成され且つ開口窓３３側から案内された遊技球を回転ドラム２１の外周面に沿って下向きに案内する下案内部３４と、開口窓３３の下縁に沿ってその後側に揺動自在に設けられ且つ下案内部３４と回転ドラム２１との間に形成される下案内通路３５を開閉可能な開閉板３６と、枠体３２の一側に設けられ且つ開閉板３６の開閉駆動を行うソレノイド等よりなる開閉板駆動手段３７とを備え、前板部３１の上部前側に開閉爪２０が開閉自在に装着されている。
【００１６】
開閉板３６は、通常状態では閉状態に保持されて下案内通路３５を閉鎖しており、回転ドラム２１の回転動作に同期して、例えば回転ドラム２１が１回転する毎に所定時間開放するようになっている。なお、閉状態の開閉板３６上は、回転ドラム２１の前面側に当接した状態で遊技球が停留する停留部３６ａとなっており、この停留部３６ａ上には左右方向に同時に６個の遊技球が停留可能となっている。
【００１７】
枠体３２の上枠部３２ａには、開口窓３３の下部側に遊技球が通過可能な上下幅の連通部３３ａを残して開口窓３３の上部側を覆い且つ回転ドラム２１の外周面との間に上案内通路３８を形成する窓カバー３９が着脱自在に装着されている。窓カバー３９は、その全体が透明な合成樹脂等により形成されており、遊技盤４の前側からこの窓カバー３９を介して回転ドラム２１の上面側及びその後側を透視可能となっている。なお、開口部３３及び連通部３３ａは、停留部３６ａに対応して遊技球６個分の横幅に形成されている。
【００１８】
また、前ケース体２３の前側には、開閉爪２０の上側に、開閉爪２０が閉状態のときに開閉爪２０の間の隙間を上側から閉鎖して遊技球の入賞を阻止する入賞阻止手段４０が、例えば着脱自在に設けられている。
【００１９】
前カバー２５は、開閉爪２０の間に入賞した遊技球を開口窓３３の連通部３３ａに案内するためのもので、開閉爪２０の間の入賞口４１を前側から覆う入賞口カバー４２と、入賞口４１の下部から左右に分岐し、開口窓３３の左右両側を経由して連通部３３ａの前側両側部に連通する前案内通路部４３と、前案内通路部４３の左右の排出口４３ａ間に連通部３３ａの下縁側に沿って設けられ且つ前案内通路部４３によって案内された遊技球を連通部３３ａを介して後向きに案内する中央案内部４４とを一体に備えている。
【００２０】
入賞口４１内には、開閉爪２０を介して入賞口４１に入賞した遊技球を検出する入賞検出スイッチ４５が、入賞口カバー４２と前ケース体２３との間に着脱自在に装着されている。
【００２１】
後ケース体２４は、その前側に前ケース体２３の枠体３２の後端側に対応する矩形状の開口部５１を備えた略箱型に形成され、開口部５１を枠体３２の後端側に嵌合させた状態で前ケース体２３に着脱自在に装着されており、開口部５１の近傍に配置された回転ドラム２１と、この回転ドラム２１を回転駆動する駆動モータ等よりなる回転ドラム駆動手段５２と、前ケース体２３側の下案内通路３５側からの遊技球を下方に排出する下排出通路５３と、上案内通路３８からの遊技球を回転ドラム２１の上方を介して後方に案内する後方案内通路５４と、後方案内通路５４の下流側に左右方向往復移動可能に配置される特定入賞手段２２と、後方案内通路５４の下流側に一体に設けられ且つ特定入賞手段２２を左右方向に摺動自在に支持する案内レール部５５と、案内レール部５５を挟んで後方案内通路５４の下流側に一体に設けられ且つ案内レール部５５からの遊技球を下方に排出する後排出通路５６と、回転ドラム２１の内周側に軸方向摺動自在に嵌合され且つその外周面側に永久磁石６９を備えた遊技球保持ドラム５７と、この遊技球保持ドラム５７を回転ドラム２１の軸方向に移動させるソレノイド等よりなる保持ドラム駆動手段５８とを備えている。
【００２２】
回転ドラム２１は、円筒部６１と、円筒部６１の一端側中心部に配置され且つ回転ドラム駆動手段５２の駆動軸６２に固定されるハブ部６３と、ハブ部６３と円筒部６２の一端側とを半径方向に接続するホーク部６４とを一体に備え、開口部５１を形成する左右の側板５１ａ，５１ｂ間に、その回転軸を左右方向に向けて横向きに配置されており、回転ドラム駆動手段５２によって前面側が上向きに移動する方向に回転駆動されるようになっている。円筒部６１は、軸方向長さが遊技球略６個分に形成されており、その表面に沿って横向きに６個の遊技球が整列可能となっている。
【００２３】
また、回転ドラム２１は、円筒部６１のハブ部６３とは反対側が開口６１ａとなっており、円筒部６１の内周面側には、遊技球保持ドラム５７側の永久磁石６９を軸方向に案内する案内溝６１ｂが、円周方向に１８０度ずれた２箇所に、開口６１ａ側から他端側近傍まで軸方向に設けられている。
【００２４】
なお、回転ドラム２１は、後ケース体２４を前ケース体２３に装着したとき、下案内部３４との間に下案内通路３５が、窓カバー３９との間に上案内通路３８が夫々形成され、前面側が停留部３６ａの後側に位置するように前ケース体２４側の枠体３２の後端部近傍に配置されるようになっている。
【００２５】
回転ドラム駆動手段５２は、側板５１ｂの外面側に着脱自在に固定され、その駆動軸６２が側板５１ｂに設けられた開口孔６２ａを介して回転ドラム２１のハブ部６３に固定されている。
【００２６】
遊技球保持ドラム５７は、軸方向長さが遊技球略５個分に形成され且つ回転ドラム２１の円筒部６１の内周側に軸方向摺動自在に嵌合する円筒部６５と、円筒部６５の一端側中心部に配置され且つ保持ドラム駆動手段５８の駆動軸６６に固定されるハブ部６７と、ハブ部６７と円筒部６５の一端側とを半径方向に接続するホーク部６８とを一体に備え、更に円筒部６５の外周面側に永久磁石６９が複数固定されている。
【００２７】
永久磁石６９は、円筒部６５の外周面上の１８０度ずれた２箇所に夫々遊技球略１個分の間隔を空けて軸方向に複数配列されており、例えばそれら２箇所のうちの１箇所には３個、他方の１箇所には２個、互いに排他位置となるように設けられている。
【００２８】
遊技球保持ドラム５７は、ハブ部６７を回転ドラム２１側のハブ部６３とは反対側に向けた状態で、永久磁石６９を回転ドラム２１側の案内溝６１ｂに沿わせつつ開口６１ａ側から円筒部６２内に軸方向摺動自在に嵌合されている。このように、遊技球保持ドラム５７は、永久磁石６９を介して回転ドラム２１側と回転方向に連結されて回転ドラム２１と共に回転すると共に、回転ドラム２１の軸方向には摺動自在となっている。
【００２９】
なお、遊技球保持ドラム５７の永久磁石６９に対応する回転ドラム２１の外周面側の位置が遊技球を吸着保持可能な吸着部６９ａとなり、遊技球がその吸着部６９ａと一致したとき、永久磁石６９の吸着力によって遊技球を円筒部６１の外周面側に吸着して保持し、回転ドラム２１の回転に伴ってその回転方向に誘導する。ここで、回転ドラム２１を透明な合成樹脂で形成するなどして永久磁石６９を外側から透視可能とし、吸着部６９ａの位置を遊技者が容易に認識できるようにすることが望ましい。
【００３０】
保持ドラム駆動手段５８は、側板５１ａの外面側に着脱自在に固定され、その駆動軸６６が側板５１ａに設けられた開口孔６６ａを介して遊技球保持ドラム５７のハブ部６７に固定されており、駆動軸６６を出退させることにより、遊技球保持ドラム５７をその軸方向に所定距離（例えば遊技球１個分）移動させて、図５に実線で示す位置（以下、右位置という）と２点鎖線で示す位置（以下、左位置という）に切り換え可能となっている。なお、本実施形態では、保持ドラム駆動手段５８の駆動軸６６をその軸廻りに回転自由として遊技球保持ドラム５７が自由に回転できるものとするが、例えばハブ部６７と駆動軸６６とを軸方向にのみ連結するようにしてもよい。
【００３１】
遊技球保持ドラム５７が「右位置」にあるときには、停留部３６ａ上の遊技球６個分の停留位置のうち、最も左側の停留位置は何れの吸着部６９ａも通過しないため、この停留位置に遊技球が停留した場合、その遊技球は回転ドラム２１によって誘導されることはない。同様に、遊技球保持ドラム５７が「左位置」にあるときには、最も右側の停留位置に遊技球が停留した場合、その遊技球は回転ドラム２１によって誘導されることはない。
【００３２】
下排出通路５３は、下案内通路３５の下流側に接続され、下案内通路３５によって回転ドラム２１の下側に案内されてきた遊技球を遊技盤４の後側に下向きに排出するようになっている。
【００３３】
後方案内通路５４は、上案内通路３８の下流側に接続され、上案内通路３８によって回転ドラム２１の上側から案内されてきた遊技球を後側に案内するようになっている。なお、後方案内通路５４の底板部５４ａは、その前縁側が回転ドラム２１の外周面に前向きに鋭角をなして近接しており、回転ドラム２１の吸着部６９ａに吸着されて誘導されてきた遊技球を回転ドラム２１の外周面から離脱させて後方側に案内するようになっている。
【００３４】
特定入賞手段２２は、１個の遊技球が通過可能な特定領域２２ａと、この特定領域２２ａを通過した遊技球を検出する特定領域通過検出スイッチ７２とを備え、後述する往復駆動手段７４の駆動により案内レール部５５に沿って側板５１ａ，５１ｂ間を左右方向に往復移動可能となっている。また、特定領域２２ａの両側には、案内リブ２２ｂが上向きに立設されており、後方案内通路５４側から特定入賞手段２２の横幅内に案内されてきた遊技球を特定領域２２ａ側に案内すると共に、遊技者が遊技盤４の前側からその特定領域２２ａの位置を容易に認識できるようになっている。
【００３５】
なお、特定入賞手段２２の２つの案内リブ２２ｂ間の幅は、例えば後方案内通路５４の横幅の１／３程度となっており、後方案内通路５４によって案内されてきた遊技球が１／３程度の確率で特定領域２２ａを通過するようになっている。
【００３６】
後排出通路５６は、案内レール部５５を挟んで後方案内通路５４の下流側に一体に設けられ、後方案内通路５４により後向きに案内されて特定入賞手段２２の特定領域２２ａを通過した遊技球と、特定入賞手段２２の側方を通過した遊技球とを共に遊技盤４の後側に下向きに排出するようになっている。
【００３７】
後カバー２６は、開閉爪２０を開閉駆動する開閉爪駆動手段７３と、特定入賞手段２２を往復駆動する往復駆動手段７４とを支持するもので、開閉爪駆動手段７３を後ケース体２４の上方で支持する遊技盤４と平行な上支持板部７５と、往復駆動手段７４を後ケース体２４の後方で支持する遊技盤４と平行な下支持板部７６と、上支持板７５と下支持板７６とを前後に接続する接続板部７７とを一体に備えており、取り付けボス部２６ａを介して前ケース体２３及び後ケース体２４の裏側に着脱自在に装着されている。
【００３８】
開閉爪駆動手段７３は、駆動軸７３ａを下向きに備えたソレノイド等により構成され、駆動軸７３ａには前向きに突出する左右一対の駆動ピン７８が固定されている。開閉爪２０は、後向きに一体に突設された支軸２０ａにより前カバー２５側に揺動自在に支持され、その支軸２０ａの後端側には、斜め内向きに突出する揺動レバー７９が一体に設けられており、この揺動レバー７９の端部近傍に設けられた係合溝７９ａに駆動ピン７８が後側から係合している。開閉爪駆動手段７３の駆動により、駆動軸７３ａ及び駆動ピン７８が上下に移動し、この上下動が揺動レバー７９を介して支軸２０ａの正逆方向の回転動作に変換され、開閉爪２０が開閉するようになっている。
【００３９】
往復駆動手段７４は、駆動軸８１ａが前向きとなるように配置された例えば減速機付きの駆動モータ８１と、一端側が駆動軸８１ａに固定され、他端側に案内孔８２ａが設けられた揺動アーム８２とを備え、特定入賞手段２２の後側に突出する突出部２２ｃが揺動アーム８２の案内孔８２ａに前側から係合している。駆動モータ８１を正逆方向に交互に駆動することにより、揺動アーム８２が揺動し、これに伴って特定入賞手段２２が左右方向に往復移動するようになっている。なお、特定入賞手段２２の突出部２２ｃの後端部側には、案内孔８２ａの後側から係合保持部材２２ｄが着脱自在に固定されており、突出部２２ｃの案内孔８２ａからの抜けや斜め方向へのぶれを防止して、揺動アーム８２からの駆動力を特別入賞手段２２側にスムーズに伝達できるようになっている。
【００４０】
始動入賞手段１７ａ〜１７ｃへの遊技球の入賞に基づいて開放された開閉爪２０間に遊技球が入賞すると、その遊技球は入賞口４１を通過する際に入賞検出スイッチ４５に検出された後、前案内通路部４３に沿って開口窓３３の左右一側を介して排出口４３ａから中央案内部４４上に排出される。中央案内部４４上に排出された遊技球は、連通部３３ａを介して後方側に案内され、閉状態となっている開閉板３６上の停留部３６ａで回転ドラム２１の外周面に当接した状態で停留する。
【００４１】
そして、回転ドラム２１上の吸着部６９ａが停留部３６ａの位置にきてその遊技球と吸着部６９ａの位置が一致したとき、その遊技球は吸着部６９ａに吸着され、上案内通路３８、後方案内通路５４を介して回転ドラム２１の後方側へ誘導され、特定入賞手段２２の特定領域２２ａ、若しくは特定入賞手段２２の側方を通過して後排出通路５６を経て遊技盤４の後方に排出される。なお、遊技球が特定領域２２ａを通過した場合には、特定領域通過検出スイッチ７２がその通過を検出する。
【００４２】
図８は制御系のブロック図である。この制御系は、開閉爪制御手段９１、回転ドラム制御手段９２、計時手段９３、保持位置制御手段９４、特別遊技状態発生手段９５、入賞処理手段９６、払い出し制御手段９７等を備えている。
【００４３】
開閉爪制御手段９１は、開閉爪２０を開閉駆動する開閉爪駆動手段７３を制御するもので、始動入賞手段１７ａ〜１７ｃに遊技球が入賞することを条件に、開閉爪２０を所定回数開放させるべく、開閉爪駆動手段７３に駆動制御信号を出力するようになっている。本実施形態では、左右の始動入賞手段１７ａ，１７ｃへの遊技球の入賞に対して１回、中央の始動入賞手段１７ｂへの遊技球の入賞に対して２回、夫々開閉爪２０を開放するようになっている。
【００４４】
回転ドラム制御手段９２は、回転ドラム２１を回転駆動する回転ドラム駆動手段５２と、開閉板３６を開閉駆動する開閉板駆動手段３７とを制御するもので、開閉爪２０の開放から少なくとも所定時間経過するまで回転ドラム２１を回転させるべく回転ドラム駆動手段５２に駆動制御信号を出力する機能と、回転ドラム２１の回転と同期して開閉板３６を開閉させるべく、開閉板駆動手段３７に駆動制御信号を出力する機能とを備えている。開閉板３６は、回転ドラム制御手段９２の制御により、例えば回転ドラム２１が１回転する毎に、回転ドラム２１の吸着部６９ａが停留部３６ａの位置にきたとき若しくはその後に所定時間（例えば０．５秒程度）開放するようになっている。
【００４５】
計時手段９３は、所定時間の経過を測定するもので、例えば回転ドラム２１の回転が開始された時点から計時を開始し、所定時間（例えば１０秒）経過する毎に計時信号を出力するようになっている。
【００４６】
保持位置制御手段９４は、遊技球保持ドラム５７を駆動する保持ドラム駆動手段５８を制御するもので、計時手段９３からの計時信号が出力される毎に、遊技球保持ドラム５７の軸方向位置を変化させるべく保持ドラム駆動手段５８に駆動制御信号を出力するようになっている。
【００４７】
特別遊技状態発生手段９５は、遊技者に有利な特別遊技状態を発生させるためのもので、遊技球が特定領域２２ａを通過することを条件に作動を開始するようになっている。特別遊技状態発生手段９５が作動して特別遊技状態が発生すると、開閉爪２０が所定回数（例えば１８回）、所定入賞個数（例えば１０個）を限度として開閉され、この特別遊技状態の発生中に遊技球が特定領域２２ａを通過することを条件に、所定回数（例えば１６回）を限度としてこの特別遊技状態が繰り返されるようになっている。
【００４８】
入賞処理手段９６は、可変入賞手段１６等への遊技球の入賞に基づいて払い出し手段９８から規定数の遊技球を払い出させる入賞処理を行うためのもので、可変入賞手段１６の入賞検出スイッチ４５、普通入賞手段１８、開閉入賞手段１９等の入賞検出スイッチから検出信号が出力されたときに、払い出し手段９８の駆動制御を行う払い出し制御手段９７に対して規定数の遊技球の払い出し制御信号を出力するようになっている。
【００４９】
次に上記パチンコ機における動作について説明する。遊技に際して遊技者が発射ハンドル１０を把持して操作すると、発射手段９が作動して、上皿７から発射レール１１上に順次供給される遊技球をガイドレール１４を経て遊技領域１５へと打ち込んで行く。そして、この遊技領域１５の上部側に発射された遊技球が盤面に沿って落下する間に、その遊技球が普通入賞手段１８等に入賞すると、払い出し手段９８が規定数の遊技球を賞球として払い出して遊技者に利益を還元する。
【００５０】
遊技球が始動入賞手段１７ａ〜１７ｃの何れかに入賞すると、開閉爪制御手段９１から開閉爪駆動手段７３に対して駆動制御信号が出力され、これによって始動入賞手段１７ａ，１７ｃへの入賞に対しては１回、始動入賞手段１７ｂへの入賞に対しては２回、開閉爪２０が開放する。
【００５１】
また、開閉爪２０が開放されると、その開放から所定時間経過するまでの間、回転ドラム制御手段９２から回転ドラム駆動手段５２に対して駆動制御信号が出力され、これによって回転ドラム２１が回転駆動される。また、回転ドラム２１が１回転する毎に、回転ドラム制御手段９２から開閉板駆動手段３７に対して駆動制御信号が出力され、これによって開閉板３６が所定時間（例えば０．５秒程度）開放される。
【００５２】
回転ドラム２１の回転駆動が開始されると、計時手段９３による計時が開始され、所定時間経過する毎に保持位置制御手段９４に対して計時信号が出力される。保持位置制御手段９４は、計時信号の受信に基づいて、遊技球保持ドラム５７の軸方向位置を切り換えるべく、保持ドラム駆動手段５８に駆動制御信号を出力する。これにより、遊技球保持ドラム５７は所定時間経過する毎にその軸方向位置が「右位置」と「左位置」との間で交互に切り換えられ、回転ドラム２１上の吸着部６９ａの位置、即ち遊技球の保持位置が変化する。
【００５３】
開放された開閉爪２０を介して遊技球が入賞すると、その遊技球は入賞口４１を通過する際に入賞検出スイッチ４５に検出された後、前案内通路部４３に沿って開口窓３３の左右一側を介して排出口４３ａから中央案内部４４上に排出される。中央案内部４４上に排出された遊技球は、連通部３３ａを介して後方側に案内され、閉状態となっている開閉板３６上の停留部３６ａで、回転駆動されている回転ドラム２１の外周面に当接した状態で停留する。
【００５４】
回転ドラム２１上の吸着部６９ａが停留部３６ａの位置にきて、停留部３６ａ上の遊技球と吸着部６９ａの位置とが一致すると、その遊技球は吸着部６９ａに吸着保持されて上向きに持ち上げられ、上案内通路３８を介して回転ドラム２１の後方側へ誘導され、更に後方案内通路５４の底板部５４ａによって回転ドラム２１の外周面から離脱された後、更に後方に案内される。
【００５５】
例えば、遊技球保持ドラム５７が右位置（図５に実線で示す位置）にある状態で、遊技球が停留部３６ａ上の例えば最も右寄りの位置で停留している場合には、図７（ａ）に示すように、その遊技球は回転ドラム２１が１回転する間にその最も右寄りの吸着部６９ａに吸着保持されて上向きに持ち上げられ、上案内通路３８を介して回転ドラム２１の後方側へ誘導される。
【００５６】
一方、例えば、遊技球保持ドラム５７が右位置にある状態で、遊技球が停留部３６ａ上の例えば最も左寄りの位置で停留している場合のように、回転ドラム２１が１回転しても停留部３６ａ上の遊技球が回転ドラム２１上の何れの吸着部６９ａとも一致しなかった場合には、図７（ｂ）に示すように、その遊技球は回転ドラム２１に誘導されることなく停留部３６ａ上に留まり、開閉板３６が開放された際に下案内通路３５側に流下し、下排出通路５３を介して遊技盤４の裏側下方に排出される。
【００５７】
なお、本実施形態では、回転ドラム２１が１回転する毎に開閉板３６が開放するようになっており、また吸着部６９ａの位置は回転ドラム２１の周方向の２箇所に分けて設けられているため、遊技球の停留位置が吸着部６９ａの通過経路上であったとしても、その遊技球が停留部３６ａ上に流下してくるタイミングが悪ければ、開閉板３６が開放した際に下案内通路３５側に流下する場合もある。
【００５８】
運良く回転ドラム２１の吸着部６９ａに吸着保持されて停留部３６ａから上案内通路３８を介して回転ドラム２１の後方側へ誘導された遊技球は、往復駆動手段７４によって左右に往復移動されている特定入賞手段２２の特定領域２２ａを通過するか、或いは特定入賞手段２２の側方を通過した後、後排出通路５６を経て遊技盤４の後側に下向きに排出される。なお、特定領域２２ａを通過した遊技球は、特定領域通過検出スイッチ７２で検出される。
【００５９】
遊技球が特定領域２２ａを通過し、特定領域検出スイッチ７２によってその通過が検出されると、特別遊技状態発生手段９４が作動して遊技者に有利な特別遊技状態が発生する。即ち、開閉爪制御手段９１の制御により、開閉爪２０が所定回数（例えば１８回）、所定入賞個数（例えば１０個）を限度として開閉され、可変入賞手段１６への遊技球の入賞が容易となり、遊技者に対して多大な利益が還元される。なお、特別遊技状態の発生中に遊技球が特定領域２２ａを通過すれば、所定回数（例えば１６回）を限度としてこの特別遊技状態が繰り返される。
【００６０】
以上説明したように、本実施形態のパチンコ機では、永久磁石６９を備えた遊技球保持ドラム５７を軸方向に移動可能とすることによって遊技球の保持位置を変化可能に構成しているため、可変入賞手段内に配した回転ドラムによる遊技球の誘導動作が変化に富み、興趣が増大して遊技者が飽きることなく長く遊技を楽しむことができる。
【００６１】
回転ドラム２１は水平軸廻りに回転するため、回転ドラムの外周に沿って横方向に並んだ複数の遊技球に対して並行して誘導動作を行うことができ、躍動感に溢れた動作が実現可能である。
【００６２】
回転ドラム２１は遊技球を吸着して保持しつつ誘導するようになっているため、遊技球を凹部等に収めて誘導する場合などと比べて誘導動作に意外性があり、遊技者はより興味深く遊技を行うことができる。
【００６３】
永久磁石６９による遊技球の保持位置を時間の経過に基づいて変化させるようにしているため、遊技状態に関係無く回転ドラム２１による誘導動作を常に変化させることができる。
【００６４】
図９〜図１１は本発明の第２の実施形態を例示し、遊技球保持手段として電磁石６９′を用い、抽選によって決定された所定の電磁石６９′をＯＮにすることにより遊技球の保持位置を変化させるようにした例を示している。
【００６５】
本実施形態の回転ドラム２１は、図９に示すように、円筒部６１と、円筒部６１の一端側中心部に配置され且つ回転ドラム駆動手段５２の駆動軸６２に固定されるハブ部６３ａと、ハブ部６３ａと円筒部６２の一端側とを半径方向に接続するホーク部６４ａと、円筒部６１の他端側中心部に配置され且つ側板５１ａ側に回動自在に支持されるハブ部６３ｂと、ハブ部６３ｂと円筒部６２の他端側とを半径方向に接続するホーク部６４ｂとを一体に備えている。
【００６６】
円筒部６１には、例えばその内面側に、電磁石６９′が複数配置されており、電磁石駆動手段１０２（図１１）により所定の電磁石６９′をＯＮ／ＯＦＦ可能となっている。電磁石駆動手段１０２によりＯＮ状態となった電磁石６９′に対応する外周面側が遊技球を吸着保持可能な吸着部６９ａとなり、遊技球がその吸着部６９ａと一致したとき、電磁石６９′の吸着力によって遊技球を円筒部６１の外周面側に吸着して保持し、回転ドラム２１の回転に伴ってその回転方向に誘導するようになっている。
【００６７】
電磁石６９′は、例えば円筒部６１の外周面上の１８０度ずれた２箇所に、夫々６個ずつ軸方向に等間隔で配列されている。
【００６８】
なお、各電磁石６９′に対応して円筒部６１の外周面上にＬＥＤ等の発光手段を配置し、電磁石６９′がＯＮされたときにそれに対応するＬＥＤを発光させるなどして吸着部６９ａの位置を遊技者が容易に認識できるようにすることが望ましい。
【００６９】
図１１は制御系のブロック図である。この制御系は、開閉爪制御手段９１、回転ドラム制御手段９２、保持位置パターン選択手段１０１、保持位置制御手段９４、特別遊技状態発生手段９５、入賞処理手段９６、払い出し制御手段９７等を備えている。開閉爪制御手段９１、回転ドラム制御手段９２、特別遊技状態発生手段９５、入賞処理手段９６、及び払い出し制御手段９７については第１の実施形態と略同様であるためここでの説明は省略する。
【００７０】
保持位置パターン選択手段１０１は、ＯＮ状態とする電磁石６９′のパターン、即ち保持位置パターンを選択するためのもので、保持位置パターン記憶手段１０３と抽選手段１０４とを備えている。保持位置パターン記憶手段１０３は、ＯＮ状態とする電磁石６９′のパターン、即ち保持位置パターンを予め複数記憶しておくためのものである。保持位置パターンとしては、例えば図１０（ａ）〜（ｄ）に示すようなものが考えられる。
【００７１】
抽選手段１０４は、保持位置パターン記憶手段１０３に記憶されている複数の保持位置パターンの中から１つを乱数抽選により選択するためのもので、始動入賞手段１７ａ〜１７ｃに遊技球が入賞することを条件に所定の乱数を抽出し、その抽出乱数値に基づいて保持位置パターン記憶手段１０３に記憶されている複数の保持位置パターンの中から１つを選択するようになっている。なお、各保持位置パターンの出現率は予め所定の値に設定されている。
【００７２】
保持位置制御手段９４は、電磁石６９′をＯＮ/ ＯＦＦ駆動する電磁石駆動手段１０２を制御するもので、保持位置パターン選択手段１０１で選択された保持位置パターンに従って電磁石６９′をＯＮ/ ＯＦＦ駆動させるべく電磁石駆動手段１０２に駆動制御信号を出力するようになっている。
【００７３】
遊技球が始動入賞手段１７ａ〜１７ｃの何れかに入賞すると、開閉爪制御手段９１から開閉爪駆動手段７３に対して駆動制御信号が出力され、これによって始動入賞手段１７ａ，１７ｃへの入賞に対しては１回、始動入賞手段１７ｂへの入賞に対しては２回、開閉爪２０が開放する。
【００７４】
開放された開閉爪２０を介して遊技球が入賞すると、その遊技球は入賞口４１を通過する際に入賞検出スイッチ４５に検出された後、前案内通路部４３に沿って開口窓３３の左右一側を経由して排出口４３ａから中央案内部４４上に排出される。中央案内部４４上に排出された遊技球は、連通部３３ａを介して後方側に案内され、閉鎖位置にある開閉板３６上の停留部３６ａで回転ドラム２１ａ，２１ｂの外周面に当接した状態で停留する。
【００７５】
一方、遊技球が始動入賞手段１７ａ〜１７ｃの何れかに入賞したとき、保持位置パターン選択手段１０１の抽選手段１０４が乱数を抽出し、その抽出乱数値に基づいて保持位置パターン記憶手段１０３に記憶されている複数の保持位置パターン（例えば図１０（ａ）〜（ｄ）の４つのパターン）の中から１つを選択する。そして、その選択された保持位置パターンに従って保持位置制御手段９４から電磁石駆動手段１０２に対して駆動制御信号が出力され、これによって所定の電磁石６９′がＯＮ状態となって遊技球を吸着可能な状態となる。
【００７６】
例えば、保持位置パターン選択手段１０１によって図１０（ａ）に示す保持位置パターンが選択された場合には、停留部３６ａ上の左半分に停留している遊技球が吸着保持可能な状態となり、図１０（ｄ）に示す保持位置パターンが選択された場合には、停留部３６ａ上の全ての遊技球が吸着保持可能な状態となる。
【００７７】
以上のように、例えば永久磁石６９の位置を物理的に移動させるのではなく、ＯＮ状態にする電磁石６９′を変化させることによって遊技球の保持位置を変化させるようにしても、第１の実施形態と同様の効果が期待できる。
【００７８】
図１２は本発明の第３の実施形態を例示し、始動入賞手段１７ａ〜１７ｃの何れかに遊技球が入賞したときに、それら３つの始動入賞手段１７ａ〜１７ｃのどれに入賞したかによって保持位置パターンを決定するようにした例を示している。
【００７９】
図１２に示すように、本実施形態の保持位置パターン選択手段１０１は、保持位置パターン記憶手段１０３と選択手段１０５とを備えている。保持位置パターン記憶手段１０３には、複数の保持位置パターンが、夫々各始動入賞手段１７ａ〜１７ｃに関連付けて記憶されている。例えば、図１０（ａ），（ｂ），（ｄ）に示す保持位置パターンが、夫々始動入賞手段１７ｃ，１７ａ，１７ｂに関連付けて記憶されている。
【００８０】
選択手段１０５は、始動入賞手段１７ａ〜１７ｃの何れかに遊技球が入賞したときに、その始動入賞手段１７ａ〜１７ｃのどれに入賞したかに基づいて、保持位置転パターン記憶手段１０３に記憶されている複数の保持位置パターンの中から１つを選択するようになっている。
【００８１】
以上のように、始動入賞手段１７ａ〜１７ｃの何れかに遊技球が入賞したときに、それら３つの始動入賞手段１７ａ〜１７ｃのどれに入賞したかによって保持位置パターンを決定するようにしても、第１、第２の実施形態と同様の効果が期待できる。
【００８２】
本発明は、遊技球を検出可能な作動手段１７ａ〜１７ｃと、該作動手段１７ａ〜１７ｃが遊技球を検出することを条件に遊技球が入賞可能な状態に開放若しくは拡大する可変手段２０と、該可変手段２０を介して入賞した遊技球を外周面若しくはその近傍に設けた遊技球保持手段６９，６９′で保持しつつ所定方向へ誘導する回転体２１と、該回転体２１により誘導された遊技球が特定領域２２ａを通過することを条件に遊技者に有利な特別遊技状態を発生させる特別遊技状態発生手段９５とを備えた弾球遊技機において、前記遊技球保持手段６９，６９′による遊技球の保持位置を変化可能に構成したものである。
【００８３】
前記回転体として回転ドラム２１ａ〜２１ｃを備えた構成としてもよい。また、前記回転体２１を水平軸廻りに回転するように構成してもよいし、前記遊技球保持手段６９，６９′は遊技球を吸着して保持するものとしてもよい。
【００８４】
また、所定の条件に基づいて、前記遊技球保持手段６９，６９′による遊技球の保持位置を変化させるものとしてもよい。この場合、時間の経過に基づいて、前記遊技球保持手段６９，６９′による遊技球の保持位置を変化させてもよい。また、抽選手段１０４の抽選結果に基づいて、前記遊技球保持手段６９，６９′による遊技球の保持位置を変化させてもよい。更に、前記作動手段１７ａ〜１７ｃが複数設けられ、遊技球が入賞した前記作動手段１７ａ〜１７ｃに基づいて前記遊技球保持手段６９，６９′による遊技球の保持位置を変化させてもよい。
【００８５】
以上、本発明の各実施形態について詳述したが、この実施形態に限定されるものではなく、本発明の趣旨を逸脱しない範囲内で種々の変更が可能である。例えば、第１の実施形態に示した遊技球保持ドラム５７の軸方向長さを短くして、駆動モータ等の保持ドラム駆動手段５８によって遊技球保持ドラム５７の軸方向位置、即ち遊技球保持位置を３つ以上に切り替えるようにしてもよい。第１の実施形態に示した遊技球保持ドラム５７上の永久磁石６９の配置は一例であって、これに限られるものではない。
【００８６】
また、第１の実施形態のように、遊技球保持ドラム５７等を移動させる場合であっても、第２，第３の実施形態で示したように保持位置パターンを抽選によって決定したり、或いは始動入賞手段１７ａ〜１７ｃのどれに入賞したかによって保持位置パターンを決定するようにしてもよい。
【００８７】
永久磁石６９は、遊技球保持ドラム５７上に設ける必要はなく、その他の部材上に配置してもよいし、永久磁石６９を回転ドラム２１に対して直接移動させるようにしてもよい。
【００８８】
第２，第３の実施形態で示した電磁石６９′を用いる場合に、第１の実施形態で示したように時間の経過に応じて保持位置パターンを切り替えるようにしてもよい。
【００８９】
例えば遊技状態に応じて保持位置を変化させるようにしてもよい。
【００９０】
遊技球の保持位置の変化と同期して、或いはそれとは無関係に、回転ドラム２１の回転速度等を変化させるようにしてもよい。例えば、吸着部６９ａが停留部３６ａの近傍で回転速度を落としたり、遊技状態や時間経過に応じて速度を変化させることも可能である。
【００９１】
遊技球保持手段としては、例えば回転ドラムの表面に設けた凹部に遊技球を収容して保持するものであってもよい。
【００９２】
実施形態では回転体の一例として回転ドラム２１を用いたが、例えば円柱形状のものなど、種々の回転体を用いることができる。また、回転体の回転軸は左右方向である必要はなく、前後方向や斜め方向に配置してもよい。更には、回転体の回転軸は水平に配置する必要はなく、例えば垂直方向に配置してもよい。この場合、特定領域もそれに応じて回転軸の横側等に配置する必要がある。
【００９３】
また、普通入賞手段１８に代えて、例えば賞球を伴わない通過ゲート等を配置してもよい。
【００９４】
なお、実施形態では第２種パチンコ機について例示しているが、その他のパチンコ機やアレンジボール機等の他の弾球遊技機でも同様に実施できることはいうまでもない。また、遊技媒体としてメダルを用いるメダル投入式、発射手段９と遊技盤４側との間で遊技球を循環させる循環式等の弾球遊技機であってもよい。
【図面の簡単な説明】
【００９５】
【図１】本発明の第１の実施形態を示すパチンコ機の正面図である。
【図２】本発明の第１の実施形態を示す遊技盤の正面図である。
【図３】本発明の第１の実施形態を示す可変入賞手段の正面断面図である。
【図４】本発明の第１の実施形態を示す可変入賞手段の側面断面図である。
【図５】本発明の第１の実施形態を示す可変入賞手段の平面断面図である。
【図６】本発明の第１の実施形態を示す可変入賞手段の特別入賞手段及びその近傍の正面断面図である。
【図７】本発明の第１の実施形態を示す回転ドラムによる遊技球誘導動作を示し、図７（ａ）は遊技球が回転ドラムの吸着部に吸着した場合の誘導動作を、図７（ｂ）は遊技球が回転ドラムの吸着部に吸着しなかった場合の誘導動作を示している。
【図８】本発明の第１の実施形態を示す制御系のブロック図である。
【図９】本発明の第２の実施形態を示す可変入賞手段の平面断面図である。
【図１０】本発明の第２の実施形態を示す保持位置パターンの例を示す説明図である。
【図１１】本発明の第２の実施形態を示す制御系のブロック図である。
【図１２】本発明の第３の実施形態を示す制御系のブロック図である。
【符号の説明】
【００９６】
１７ａ〜１７ｃ    始動入賞手段（作動手段）
２０    開閉爪（可変手段）
２１    回転ドラム（回転体）
２２ａ  特定領域
６９    永久磁石（遊技球保持手段）
６９′  電磁石（遊技球保持手段）
９５    特別遊技状態発生手段
１０４    抽選手段
【図１】
0004658030.tif 000002
【図２】
0004658030.tif 000003
【図３】
0004658030.tif 000004
【図４】
0004658030.tif 000005
【図５】
0004658030.tif 000006
【図６】
0004658030.tif 000007
【図７】
0004658030.tif 000008
【図８】
0004658030.tif 000009
【図９】
0004658030.tif 000010
【図１０】
0004658030.tif 000011
【図１１】
0004658030.tif 000012
【図１２】
0004658030.tif 000013